(57)【特許請求の範囲】
【請求項１】
基部に互いに対向して設けられたブラケットに回転自在に支持された払拭手段と、
前記払拭手段を所定の角度のあいだで往復回転駆動するための駆動手段
からなる洗浄装置であって、
前記払拭手段が、第１ベース部と、該第１ベース部に設けられた多数の毛からなる第１ブラシ部であり、
前記第１ベース部が前記ブラケットに回転自在に支持され、
前記第１ブラシ部に従動軸が設けられ、該従動軸が軸受を介して前記ブラケットに支持され、
前記駆動手段が、前記基部に設けられた電動機と、前記電動機の出力軸に固定された第１歯車と、前記従動軸に固定されたクランクと、一端が前記第１歯車に偏心して揺動自在に取りつけられ、他端が前記クランクの端部に揺動自在に取りつけられた第１ロッドからなり、
前記第１ブラシ部と同期して駆動される、第２ベース部に多数の毛が設けられた第２ブラシ部をさらに有し、
前記第２ブラシ部が１対のアームによって支持され、該１対のアームのそれぞれの第１端部が前記従動軸に揺動自在に取りつけられ、該１対のアームのそれぞれの第２端部および第３端部が前記第２ベース部に揺動自在に取りつけられ、前記電動機の回転力が、前記ブラケットに回転自在に支持され前記第１歯車と噛み合う第２歯車と、該第２歯車の偏心位置に一端が揺動自在に取りつけられた第２ロッドとを介して前記第２ベース部に伝達されてなる
ことを特徴とする洗浄装置。 
【請求項２】
前記第１端部と第２端部とのあいだの距離が、前記第１端部と第３端部とのあいだの距離が同一でないことを特徴とする請求項１記載の洗浄装置。
【請求項３】
洗浄水を噴射するための洗浄水噴射手段を備えてなる請求項１または２記載の洗浄装置。
【発明の詳細な説明】
【０００１】
【発明の属する技術分野】
本発明は洗浄装置に関する。さらに詳しくは、電動機によって往復回転される払拭手段からなる洗浄装置に関する。
【０００２】
【従来の技術および発明が解決しようとする課題】
内燃機関、蒸気またはガスタービンプラント、自動車、オートバイなどの製造工場、自動車整備工場などにおいては、各種機械の組み立てや、修理の際に手にガソリン、軽油、Ａ重油、Ｂ重油、Ｃ重油などの燃料油、潤滑油、煤などの燃焼生成物、染料、塗料など、またはこれらを組み合わせたものが付着する。
【０００３】
このような機械の組み立て、修理中に手に付着した油類のばあい、いまだに石鹸を用いて手を揉むようにして洗い落としているのが現状であり、一般家庭における手洗いと大差はない。このように石鹸を用いて手を揉むようにして手を洗浄することは、掌の皮膚の凹凸をいわばブラシとして利用とし、１つの動作で両方の手を洗えることから、もっともひろく行われている。
【０００４】
しかしながらこの方法は、一般家庭における油（通常、石油など１種類の油）の洗浄はともかくとしても、叙上のような工場における作業中に付着した油のばあい、数種類の油と燃焼生成物との組み合わせであるため、どうしても洗浄し切れない油類が手に残るという欠点がある。
【０００５】
一方、ブラシやスポンジを用いて油を洗い落すことも行われているが、この方法の場合、一方の手でスポンジを握り、このスポンジを他方の手に擦りつけて油を落すことになる。このため、一方の手の洗浄ののち、他方の手を洗浄しなければならず、洗浄作業に手間がかかるという問題がある。
【０００６】
本発明の目的は、叙上の従来の手作業による洗浄の欠点を解消し、手を傷つけることなく、短時間に両手を同時に洗浄することができる洗浄装置を提供することである。
【０００７】
本発明の洗浄装置は、基部に互いに対向して設けられたブラケットに回転自在に支持された払拭手段と、
前記払拭手段を所定の角度のあいだで往復回転駆動するための駆動手段
からなり、前記払拭手段が、第１ベース部と、該第１ベース部に設けられた多数の毛からなる第１ブラシ部であり、
前記第１ベース部が前記ブラケットに回転自在に支持され、
前記第１ブラシ部に従動軸が設けられ、該従動軸が軸受を介して前記ブラケットに支持され、
前記駆動手段が、前記基部に設けられた電動機と、前記電動機の出力軸に固定された第１歯車と、前記従動軸に固定されたクランクと、一端が前記第１歯車に偏心して揺動自在に取りつけられ、他端が前記クランクの端部に揺動自在に取りつけられた第１ロッドからなり、
前記第１ブラシ部と同期して駆動される、第２ベース部に多数の毛が設けられた第２ブラシ部をさらに有し、
前記第２ブラシ部が１対のアームによって支持され、該１対のアームのそれぞれの第１端部が前記従動軸に揺動自在に取りつけられ、該１対のアームのそれぞれの第２端部および第３端部が前記第２ベース部に揺動自在に取りつけられ、前記電動機の回転力が、前記ブラケットに回転自在に支持され前記第１歯車と噛み合う第２歯車と、該第２歯車の偏心位置に一端が揺動自在に取りつけられた第２ロッドとを介して前記第２ベース部に伝達されてなることを特徴としている。
【００１２】
また、前記第１端部と第２端部とのあいだの距離が、前記第１端部と第３端部とのあいだの距離が同一でないことが好ましい。
【００１３】
また、洗浄水を噴射するための洗浄水噴射手段を備えてなることが好ましい。
【００１４】
【発明の実施の形態】
添付図面を参照しつつ本発明の洗浄装置について、以下に詳細に説明する。
【００１５】
図１は本発明の一実施の形態にかかわる洗浄装置の一例を示す斜視図であり、図２は図１の左側面図であり、図３は図１の右側面図であり、図４は第１ブラシ部の正面図であり、図５は図４の断面説明図であり、図６は図５の部分拡大図であり、図７は第２ブラシ部の平面図であり、図８は図７のＡ−Ａ線断面図である。
【００１６】
図１を参照すると、本発明の洗浄装置１は、基部２に互いに対向して設けられたブラケット３に回転自在に支持された払拭手段４と、払拭手段４を所定の角度のあいだで往復回転駆動するための駆動手段５から構成されている。
【００１７】
本発明の一実施の形態にかかわる洗浄装置１において、払拭手段４は、第１ベース部４ｂと、第１ベース部４ｂに設けられた多数の毛４ｈが植えつけられてなる第１ブラシ部４である。
【００１８】
第１ベース部４ｂはブラケット３に回転自在に支持されている。
【００１９】
本実施の形態のばあい、第１ベース部４はウレタン系エラストマーなどの熱可塑性エラストマーからなる円柱状を呈しているが、かかる材料および形状に限定されることはない。
【００２０】
本実施の形態のばあい、毛４ｈは第１ベース部４ｂの円筒面全面にわたって植えつけられるのではなく、図４および５に示されるように、植毛された領域αと非植毛領域βがある（第１ベース部４ｂの円形断面の円周角２４０度に相当する円筒面の外面に植毛されている）。また図６に示されるように、高さの高い毛４ｈ１と高さの低い毛４ｈ２とが交互に配列されると、洗浄装置の操作中の掌への刺激を緩和でき、適度の摩擦を与えることができるので好ましいが、かかる毛の配列に限定されない。
【００２１】
第１ブラシ部４には従動軸Ｓ２が設けられており、従動軸Ｓ２は軸受（図示されていない）を介してブラケット３に支持されている。
【００２２】
本実施の形態の場合、駆動手段５は、基部２に設けられた電動機５ａと、電動機５ａの出力軸Ｓ１に固定された第１歯車５ｂと、従動軸Ｓ２に固定されたクランク５ｃと、一端が第１歯車５ｂに偏心して揺動自在に取りつけられ、他端がクランク５ｃの端部に揺動自在に取りつけられた第１ロッド５ｄから構成されている。
【００２３】
本実施の形態においては、図１、７および８に示されるように、払拭手段４はさらに第２ブラシ部４´を備えている。第２ブラシ部４´は第２ベース部と、該第２ベース部４´ｂに植えつけられた多数の毛４´ｈから構成されている。
【００２４】
なお、第２ベース部４´ｂの素材は第１ベース部と同一である。
【００２５】
第２ブラシ部４´は、１対のアーム６によって支持されている。１対のアーム６のそれぞれの第１端部６ａは従動軸Ｓ２に揺動自在に取りつけられ、１対のアーム６のそれぞれの第２端部６ｂおよび第３端部６ｃは第２ベース部４´ｂに揺動自在に取りつけられている。本実施の形態のばあいアーム６は、ほぼＶ字状の形状を呈している。アーム６は、３つの端部を有しておれば、三角形、扇形などいかなる形状のものでもよく、Ｖ字状に限られることはない。
【００２６】
第２ベース部４´ｂの左右２カ所には、ピンＰ１、Ｐ２が取りつけられている。ピンＰ１は、アーム６の第２端部６ｂと、後述の第２ロッド８の一端とを挿通している。ピンＰ２は、アーム６の第３端部６ｃを挿通している。
【００２７】
電動機５ａの回転力は、ブラケット３に回転自在に支持され第１歯車５ｂと噛み合う第２歯車７と、第２歯車７の偏心位置に一端が揺動自在に取りつけられた第２ロッド８とを介して前記第２ベース部４´ｂに伝達されている。
【００２８】
さらに、本実施の形態においては、第１端部６ａと第２端部６ｂとのあいだの距離が、第１端部６ａと第３端部６ｃとのあいだの距離より小さい。このようにすれば、手が第１ブラシ部４と第２ブラシ部４´とのあいだに挟み込まれるような恐怖心を抱くことがなく安心して手を洗浄できるので好ましい。
【００２９】
図１に示された実施の形態のばあい、払拭手段４として、短時間に効果的な洗浄を実現するために第１ブラシ部４と第２ブラシ部４´とを備えている。しかしながら、払拭手段４として第１ブラシ４だけを備えたものも本発明に含まれることはいうまでもない。
【００３０】
また、図１に示された実施の形態のばあい、第１ブラシ部４を往復回転駆動させる駆動手段５は、前述のとおり、電動機５ａと第１歯車５ｂとクランク５ｃと第１ロッド５ｄから構成される、いわゆるリンク機構を採用している。洗浄装置が洗面所など湿度が高く水の飛沫がかかりやすい場所に設置されることが多いことを考えたとき、リンク機構が信頼性と保守性がもっとも高いからである。
【００３１】
しかしながら、本発明の洗浄装置の駆動手段は、かかるリンク機構に限られることはなく、たとえば電動機５ａが３相交流電動機である場合、電動機５ａのＵ、Ｖ、Ｒ相と、交流電源のＲ、Ｓ、Ｔ相との接続を、所定の時間のあいだ、Ｒ相とＵ相、Ｓ相とＶ相およびＴ相とＷ相をそれぞれ接続したのち、Ｒ相とＴ相とを入れ替えて接続することをたとえば、従来より公知のシーケンス制御を用いた方法で電動機を正逆転させることもできる。
【００３２】
なお、本実施の形態の洗浄装置１は、払拭手段４の往復運動をストロークを約３００回／分〜約９５回／分のあいだで調節することができる。これをたとえば約３００回／分のストロークを強（ＨＩＧＨ）、約９５回／分のストロークを弱（ＬＯＷ）そして約２００回／分のストロークを中（ＭＥＤＩＵＭ）として押しボタンによってストロークを切り替えるようにすれば、ユーザーが手の汚れに応じてストロークを適宜選択できるので好ましい。
【００３３】
したがって、本発明の駆動手段５としては、前述のリンク機構に限られない。
【００３４】
本実施の形態にかかわる洗浄装置１は、図１および３に示されるように、洗浄水を噴射するための洗浄水噴射手段１０を備えている。洗浄水噴射手段１０は、払拭手段４に水を噴射する噴射口（図示されていない）が穿設された注水管１０と、注水管１０ａに水を導くチューブ１０ｂと、洗浄水噴射のＯＮ−ＯＦＦを制御する電磁弁１０ｃと、チューブ１０ｂと水道管とを接続する接続部１０ｄから構成されている。
【００３５】
叙上のように構成される本発明の洗浄装置１は、図１の矢印Ｌの方向に手を入れることを意図されているが、矢印Ｍの方向に入れることができるようにすることは当業者であれば自明の設計変更の範囲内のことである。
【００３６】
【発明の効果】
本発明によれば、手を傷つけることなく、短時間に両手を同時に洗浄することができる洗浄装置を提供することができる。
【図面の簡単な説明】
【図１】本発明の一実施の形態にかかわる洗浄装置の一例を示す斜視図である。
【図２】図１の左側面図である。
【図３】図１の右側面図である。
【図４】第１ブラシ部の正面図である。
【図５】図４の断面説明図である。
【図６】図５の部分拡大図である。
【図７】第２ブラシ部の平面図である。
【図８】図７のＡ−Ａ線断面図である。
【符号の説明】
１  洗浄装置
２  基部
３  ブラケット
４  払拭手段
５  駆動手段
【図１】
0003816620.tif 000002
【図２】
0003816620.tif 000003
【図３】
0003816620.tif 000004
【図４】
0003816620.tif 000005
【図５】
0003816620.tif 000006
【図６】
0003816620.tif 000007
【図７】
0003816620.tif 000008
【図８】
0003816620.tif 000009